(57)【要約】異常アンテナ条件（損傷もしくは改竄または疑われる損傷もしくは改竄を検出する、損傷または改竄等）を検出する、アセット追跡のための方法およびモバイル送受信機が、提供される。本開示のモバイル送受信機は、それぞれが内部アンテナおよび外部アンテナを有するセルラー送受信機と、衛星受信機とを備える。モバイル送受信機は、異常アンテナ条件を検出し、異常アンテナ条件が検出されたとき、外部アンテナから内部アンテナにまたはその逆に切り替えることができる。
2019510199.tif 000002
【特許請求の範囲】
【請求項１】
プロセッサと、無線送受信機と、内部アンテナと、外部アンテナとを有するモバイル送受信機を動作させる方法であって、前記内部アンテナおよび外部アンテナのそれぞれは、スイッチを介して前記無線送受信機に結合されており、前記方法は、
前記無線送受信機のためのアクティブアンテナを前記外部アンテナに切り替えるステップと、
前記外部アンテナの異常アンテナ条件のインジケーションが検出されたかどうかを判定するステップと、
前記外部アンテナの異常アンテナ条件のインジケーションが検出されたとき、
前記無線送受信機のためのアクティブアンテナを前記外部アンテナから前記内部アンテナに切り替えるステップと、
前記無線送受信機によって、前記内部アンテナを介して、アセット追跡サービスに、前記外部アンテナの異常アンテナ条件のインジケーションが検出されたことの通知を送信するステップと
を含む、方法。
【請求項２】
前記外部アンテナの異常アンテナ条件のインジケーションが検出されたとき、前記無線送受信機によって、前記内部アンテナを介して、データログの少なくとも一部を最後の既知の位置とともに、前記アセット追跡サービスに送信するステップをさらに含む、請求項１に記載の方法。
【請求項３】
前記外部アンテナの異常アンテナ条件のインジケーションが検出されなかったとき、前記無線送受信機によって、データログの少なくとも一部をアセット追跡サービスに前記外部アンテナを介して送信するステップをさらに含む、請求項２に記載の方法。
【請求項４】
前記外部アンテナの異常アンテナ条件のインジケーションが検出されたかどうかを判定するステップは、
前記外部アンテナを担持する外部筐体モジュールの正面パネルの内側表面までの距離を測定するステップと、
前記正面パネルの内側表面までの距離が閾値量を上回って基準距離から変化しているとき、前記外部アンテナの異常アンテナ条件のインジケーションを検出するステップと
を含む、請求項１から３のいずれか１項に記載の方法。
【請求項５】
前記モバイル送受信機が搭載されているコンテナのドアが開放されているかまたは閉鎖されているかを判定するステップをさらに含み、
前記外部アンテナに切り替えるステップは、前記モバイル送受信機が搭載されているコンテナのドアが閉鎖されていると判定されたときに行われ、
前記内部アンテナに切り替えるステップは、前記モバイル送受信機が搭載されているコンテナのドアが開放されていると判定と判定されたときに行われる、
請求項１から４のいずれか１項に記載の方法。
【請求項６】
前記外部アンテナの異常アンテナ条件のインジケーションが検出されたかどうかを判定するステップは、
前記無線送受信機によって、前記外部アンテナを介して、無線信号が利用可能であるかどうかを判定するステップと、
無線信号が利用不可能であるとき、前記外部アンテナの異常アンテナ条件のインジケーションを検出するステップと
を含む、請求項１から５のいずれか１項に記載の方法。
【請求項７】
前記外部アンテナの異常アンテナ条件のインジケーションが検出されたかどうかを判定するステップは、
前記無線送受信機によって、前記外部アンテナを介して、前記外部アンテナを用いて測定された信号強度が閾値を超えるかどうかを判定するステップと、
前記外部アンテナによって測定された信号強度が前記閾値を超えないとき、前記外部アンテナの異常アンテナ条件のインジケーションを検出するステップと
を含む、請求項１から６のいずれか１項に記載の方法。
【請求項８】
前記外部アンテナの異常アンテナ条件のインジケーションが検出されたかどうかを判定するステップは、
閾値持続時間にわたって、前記外部アンテナを用いて受信機能を行うステップと、
前記受信機能の実施の間、無線信号が検出されたかどうかを判定するステップと、
前記受信機能の実施の間、無線信号が検出されたとき、閾値持続時間にわたって、前記外部アンテナを用いて伝送機能を行うステップと、
伝送機能の間、無線周波数（ＲＦ）結合器を監視するステップと、
伝送機能の実施の間、無線信号が検出されたかどうかを判定するステップと、
伝送機能の実施の間、無線信号が検出されたとき、前記外部アンテナの異常アンテナ条件のインジケーションを検出するステップと、
を含む、請求項１から７のいずれか１項に記載の方法。
【請求項９】
前記受信機能の実施の間、無線信号が検出されたとき、前記外部アンテナの異常アンテナ条件のインジケーションは、検出されない、請求項８に記載の方法。
【請求項１０】
前記外部アンテナの異常アンテナ条件のインジケーションが検出されたかどうかを判定するステップは、
前記外部アンテナの接地ピンが前記無線送受信機に結合されているかどうかを判定するステップと、
前記外部アンテナの接地ピンが前記無線送受信機に結合されていると判定されないとき、前記外部アンテナの異常アンテナ条件のインジケーションを検出するステップと
を含む、請求項１から９のいずれか１項に記載の方法。
【請求項１１】
前記外部アンテナの接地ピンが前記無線送受信機に結合されているかどうかを判定するステップは、
前記接地ピンが、前記無線送受信機に結合されるプロセッサの汎用入力／出力（ＧＰＩＯ）ピンに結合されているかどうかを判定するステップと、
前記接地ピンが、前記無線送受信機に結合されるプロセッサのＧＰＩＯピンに結合されていると判定されないとき、前記外部アンテナの異常アンテナ条件のインジケーションを検出するステップと
を含む、請求項１０に記載の方法。
【請求項１２】
前記外部アンテナに切り替えるステップに先立って、前記無線送受信機を低電力モードからアクティブ化するステップと、
無線サービスが利用不可能であるとき、前記無線送受信機のための低電力モードを始動させるステップと
をさらに含む、請求項１から１１のいずれか１項に記載の方法。
【請求項１３】
前記モバイル送受信機はさらに、衛星受信機と、さらなる内部アンテナと、さらなる外部アンテナとを備え、前記さらなる内部アンテナおよびさらなる外部アンテナのそれぞれは、さらなるスイッチを介して前記衛星受信機に結合されており、前記方法は、
前記衛星受信機のためのアクティブアンテナを前記さらなる外部アンテナに切り替えるステップと、
前記さらなる外部アンテナの異常アンテナ条件のインジケーションが検出されたかどうかを判定するステップと、
前記さらなる外部アンテナの異常アンテナ条件のインジケーションが検出されたとき、
前記衛星受信機のためのアクティブアンテナを前記さらなる外部アンテナから前記さらなる内部アンテナに切り替えるステップと、
前記無線送受信機によって、アセット追跡サービスに、前記さらなる外部アンテナの異常アンテナ条件のインジケーションが検出されたことの通知を送信するステップと
を含む、請求項１から１２のいずれか１項に記載の方法。
【請求項１４】
データロギングを行うステップは、
前記衛星受信機を介して、前記モバイル送受信機の場所を判定するステップと、
前記場所および前記場所と関連付けられた時間を前記メモリ内に記憶されるデータログに記憶するステップと、
を含む、請求項１から１３のいずれか１項に記載の方法。
【請求項１５】
データロギングを行うステップは、
１つまたはそれを上回るセンサを介して、前記モバイル送受信機の環境を感知するステップと、
前記センサを介して得られるセンサデータおよび前記センサデータが得られた時間を前記メモリ内に記憶されるデータログに記憶するステップと
を含む、請求項１から１４のいずれか１項に記載の方法。
【請求項１６】
前記モバイル送受信機は、出荷用コンテナに搭載されるように構成される２つの部分から成る相互接続されたモジュールであり、前記相互接続されたモジュールは、前記出荷用コンテナの内部上に位置し、前記内部アンテナを担持する内部モジュールと、前記出荷用コンテナの外部上に位置し、前記外部アンテナを担持する外部モジュールとを備える、請求項１から１５のいずれか１項に記載の方法。
【請求項１７】
プロセッサと、無線送受信機と、内部アンテナと、外部アンテナとを有するモバイル送受信機を動作させる方法であって、前記内部アンテナおよび外部アンテナのそれぞれは、スイッチを介して前記無線送受信機に結合されており、前記方法は、前記モバイル送受信機は、出荷用コンテナのドアに搭載されるように構成される２つの部分から成る相互接続されたモジュールであり、前記相互接続されたモジュールは、前記出荷用コンテナのドアの内部上に位置し、前記内部アンテナを担持する内部モジュールと、前記出荷用コンテナのドアの外部上に位置し、前記外部アンテナを担持する外部モジュールとを備え、前記方法は、
ある非アクティブ期間後、前記モバイル送受信機をウェイクアップするステップと、
前記モバイル送受信機が搭載されている前記出荷用コンテナのドアが開放されているかまたは閉鎖されているかを判定するステップと、
前記モバイル送受信機が搭載されている前記出荷用コンテナのドアが、閉鎖されていると判定されたとき、アクティブアンテナとして前記外部アンテナに切り替えるステップと、
前記モバイル送受信機が搭載されている前記出荷用コンテナのドアが、開放されていると判定されたとき、前記アクティブアンテナとして前記内部アンテナに切り替えるステップと
を含む、方法。
【請求項１８】
前記外部アンテナが前記アクティブアンテナであるとき、
前記無線送受信機によって、前記外部アンテナを介して、無線信号が利用可能であるかどうかを判定するステップと、
無線信号が利用不可能であるとき、前記アクティブアンテナを前記外部アンテナから前記内部アンテナに切り替えるステップと
をさらに含む、請求項１７に記載の方法。
【請求項１９】
前記内部アンテナが前記アクティブアンテナであるとき、
前記無線送受信機によって、前記内部アンテナを介して、無線信号が利用可能であるかどうかを判定するステップと、
無線サービスが利用不可能であるとき、前記無線送受信機のための低電力モードを始動させるステップと
をさらに含む、請求項１８に記載の方法。
【請求項２０】
プロセッサと、無線送受信機と、スイッチを介して前記無線送受信機に結合される複数のアンテナとを有するモバイル送受信機を動作させる方法であって、前記方法は、
ある非アクティブ期間後、前記モバイル送受信機をウェイクアップするステップと、
前記無線送受信機を介して、前記複数のアンテナのそれぞれを使用して、無線信号を測定するステップと、
前記測定された無線信号に従って、前記複数のアンテナ内のアンテナを選択するステップと、
前記無線送受信機のアクティブアンテナとして前記選択されたアンテナに切り替えるステップと
を含む、方法。
【請求項２１】
モバイル送受信機であって、
プロセッサと、
前記プロセッサに結合されたメモリと、
前記プロセッサに結合された衛星受信機と、
前記プロセッサに結合された無線送受信機と
を備え、
前記メモリは、前記プロセッサによって実行されたとき、前記モバイル送受信機に、請求項１から２０のいずれか１項に記載の方法を行わせる、その上に有形に記憶される実行可能命令を有する、モバイル送受信機。
【請求項２２】
その上に有形に記憶される実行可能命令を有する非一過性機械可読媒体であって、前記実行可能命令は、プロセッサと、メモリと、衛星受信機と、少なくとも１つの無線送受信機とを備えるモバイル送受信機のプロセッサによって実行されたとき、前記モバイル送受信機に、請求項１から２０のいずれか１項に記載の方法を行わせる、非一過性機械可読媒体。
【発明の詳細な説明】
【技術分野】
【０００１】
本開示は、概して、モバイル送受信機に関し、より具体的には、異常アンテナ条件を検出する、アセット追跡のための方法およびモバイル送受信機に関する。
【背景技術】
【０００２】
（背景）
全地球測位システム（ＧＰＳ）追跡デバイス等の全地球的航法衛星システム（ＧＮＳＳ）追跡デバイスは、規則的間隔においてＧＮＳＳを使用して、キャリアの場所を測定し、典型的には、その場所を内部メモリ内に記憶する、物体または人物（「キャリア」）によって携行されるデバイスである。ＧＮＳＳ追跡デバイスのタイプの実施例は、データロガー、データプッシャ、およびデータプラーを含む。データロガーは、後続ダウンロードおよび分析のために、測定された場所データを内部メモリ内に記憶し得る。データプッシャ（ビーコンとしても知られる）は、所定のパラメータに従って、内部メモリ内に記憶された場所データをサーバまたは他のデバイスに送信し得る。データプラー（トランスポンダとしても知られる）は、場所データを内部メモリ内に記憶し、サーバまたは他のデバイスからのクエリに応答して、場所データを提供し得る。ＧＮＳＳ追跡デバイスは、限定された電力および／または限定された処理リソースを有し得る。故に、ＧＮＳＳ追跡デバイスを効率的に動作および展開させるための方法が、所望され得る。
【発明の概要】
【課題を解決するための手段】
【０００３】
（例示的実施形態の説明）
本開示は、実施形態が示される、添付の図面を参照して行われる。しかしながら、多くの異なる実施形態が、使用されてもよく、したがって、説明は、本明細書に記載される実施形態に限定されるものとして解釈されるべきではない。むしろ、これらの実施形態は、本開示が徹底的かつ完全となるであろうように提供される。同様の番号は、全体を通して同様の要素を指し、プライム表記は、代替実施形態における類似要素、動作、またはステップを示すために使用される。別個のボックスまたは図示されるシステムおよびデバイスの機能要素の例証される分離は、そのような要素間の通信が、任意のそのような物理的分離を伴わずに、メッセージング、機能コール、共有メモリ空間等を用いて生じ得るため、必ずしも、そのような機能の物理的分離を要求するものではない。したがって、機能は、物理的または論理的に分離されたプラットフォーム内に実装される必要はないが、それらは、本明細書における説明を容易にするために、別個に図示される。異なるデバイスは、いくつかのデバイスが、いくつかの機能を固定機能ハードウェア内に実装する一方、他のデバイスが、機械可読媒体から得られたコードとともにそのような機能をプログラマブルプロセッサ内に実装し得るように、異なる設計を有することができる。
【０００４】
本開示は、輸送中、無線キャリアおよびネットワークカバレッジ境界を越える場合でも、全地球的かつ長距離で輸送中のアセットが追跡され得る、全地球的かつ長距離の追跡用途を可能にし得る、モバイル送受信機を提供する。全地球的かつ長距離の追跡用途では、モバイル送受信機および追跡されているアセットは、輸送中、無線キャリアおよびネットワークカバレッジ境界を越え得る。例えば、出荷用コンテナが、中国本土から出発し、北米を最終目的地として、南アフリカを巡ることは、珍しいことではない。モバイル送受信機は、輸送の間、出荷用コンテナの外部に搭載されてもよい。輸送の間、モバイル送受信機のアンテナが、損傷する、故障する、接続解除される、または場所情報、可能性として、センサデータ等の他の情報の正確な報告を阻止もしくは防止する様式において改竄されることが可能性として考えられる。
【０００５】
本開示は、異常アンテナ条件（例えば、検出された損傷もしくは改竄または疑われる損傷もしくは改竄）を検出する、アセット追跡のための方法およびモバイル送受信機を提供する。本開示のモバイル送受信機は、セルラー送受信機と、衛星受信機とを備え、それぞれが内部アンテナと外部アンテナとを有する。モバイル送受信機は、異常アンテナ条件を検出し、異常アンテナ条件が検出されたとき、外部アンテナから内部アンテナへとまたはその逆に切り替えることができる。
【０００６】
本開示の一側面の例示的実施形態によると、プロセッサと、無線送受信機と、それぞれがスイッチを介して無線送受信機に結合される内部アンテナおよび外部アンテナとを有するモバイル送受信機を動作させる方法が提供され、本方法は、無線送受信機のためのアクティブアンテナを外部アンテナに切り替えるステップと、外部アンテナの異常アンテナ条件のインジケーションが検出されたかどうかを判定するステップと、外部アンテナの異常アンテナ条件のインジケーションが検出されたとき、無線送受信機のためのアクティブアンテナを外部アンテナから内部アンテナに切り替えるステップと、無線送受信機によって、内部アンテナを介して、アセット追跡サービスに、外部アンテナの異常アンテナ条件のインジケーションが検出されたことの通知を送信するステップとを含む。
【０００７】
本開示の一側面の別の例示的実施形態によると、プロセッサと、無線送受信機と、それぞれがスイッチを介して無線送受信機に結合される内部アンテナおよび外部アンテナとを有するモバイル送受信機を動作させる方法が提供され、モバイル送受信機は、出荷用コンテナのドアに搭載されるように構成される２つの部分から成る相互接続されたモジュールであり、相互接続されたモジュールは、出荷用コンテナのドアの内部上に位置し、内部アンテナを担持する、内部モジュールと、出荷用コンテナのドアの外部上に位置し、外部アンテナを担持する、外部モジュールとを備え、本方法は、ある非アクティブ期間後、モバイル送受信機をウェイクアップするステップと、モバイル送受信機が搭載されている出荷用コンテナのドアが開放または閉鎖されているかどうかを判定するステップと、モバイル送受信機が搭載されている出荷用コンテナのドアが、閉鎖されていると判定されたとき、アクティブアンテナとして外部アンテナに切り替えるステップと、モバイル送受信機が搭載されている出荷用コンテナのドアが、開放されていると判定されたとき、アクティブアンテナとして内部アンテナに切り替えるステップとを含む。
【０００８】
本開示の一側面のさらなる例示的実施形態によると、プロセッサと、無線送受信機と、スイッチを介して無線送受信機に結合される複数のアンテナとを有するモバイル送受信機を動作させる方法が、提供され、本方法は、ある非アクティブ期間後、モバイル送受信機をウェイクアップするステップと、無線送受信機を介して、複数のアンテナのそれぞれを使用して、無線信号を測定するステップと、測定された無線信号に従って、複数のアンテナ内のアンテナを選択するステップと、無線送受信機のアクティブアンテナとして選択されたアンテナに切り替えるステップとを含む。
【０００９】
本開示の別の側面の例示的実施形態によると、プロセッサと、プロセッサに結合されたメモリと、プロセッサに結合された無線送受信機と、それぞれがスイッチを介して無線送受信機に結合される内部アンテナおよび外部アンテナとを備えるモバイル送受信機が提供され、モバイル送受信機は、前述および後述の方法を行うように構成される。
【００１０】
本開示のさらなる側面の例示的実施形態によると、その上に有形に記憶された実行可能命令を有する非一過性機械可読媒体が提供され、該実行可能命令は、メモリと、無線送受信機と、それぞれがスイッチを介して無線送受信機に結合される内部アンテナおよび外部アンテナとを備えるモバイル送受信機のプロセッサによって実行されたとき、モバイル送受信機に前述および本明細書に説明される方法を行わせる。
【図面の簡単な説明】
【００１１】
【図１】図１は、本開示による、モバイル送受信機を動作させるために好適な通信システムを図示するブロック図である。
【００１２】
【図２】図２は、本開示の例示的実施形態による、モバイル送受信機を図示するブロック図である。
【００１３】
【図３Ａ】図３Ａは、本開示の例示的実施形態による、無線通信サブシステムを図示するブロック図である。
【００１４】
【図３Ｂ】図３Ｂは、無線周波数（ＲＦ）結合器の概略図である。
【００１５】
【図４】図４は、本開示による、モバイル送受信機を搭載するために好適な例示的出荷用コンテナである。
【００１６】
【図５】図５は、本開示の一実施形態による、モバイル送受信機筐体の斜視図である。
【００１７】
【図６Ａ】図６Ａは、出荷用コンテナの内部から視認される、図４の出荷用コンテナのドアに搭載される図５のモバイル送受信機筐体の正面図である。
【００１８】
【図６Ｂ】図６Ｂは、図４の出荷用コンテナのドアに搭載される図５のモバイル送受信機筐体の側面図である。
【００１９】
【図６Ｃ】図６Ｃは、図４の出荷用コンテナのドアに搭載される図５のモバイル送受信機筐体の断面図である。
【００２０】
【図７Ａ】図７Ａ−７Ｄは、本開示の例示的実施形態による、モバイル送受信機を動作させる方法の例示的実施形態を図示するフローチャートである。
【図７Ｂ】図７Ａ−７Ｄは、本開示の例示的実施形態による、モバイル送受信機を動作させる方法の例示的実施形態を図示するフローチャートである。
【図７Ｃ】図７Ａ−７Ｄは、本開示の例示的実施形態による、モバイル送受信機を動作させる方法の例示的実施形態を図示するフローチャートである。
【図７Ｄ】図７Ａ−７Ｄは、本開示の例示的実施形態による、モバイル送受信機を動作させる方法の例示的実施形態を図示するフローチャートである。
【００２１】
【図８】図８は、本開示の一実施形態による、アンテナを選択する方法の例示的実施形態を図示するフローチャートである。
【発明を実施するための形態】
【００２２】
図１および２を参照すると、本開示のモバイル送受信機１０２の例示的実施形態が、説明されるであろう。モバイル送受信機１０２は、モバイル送受信機１０２の動作全体を制御する、少なくとも１つのプロセッサ１０４を備える。プロセッサ１０４は、コンポーネントとプロセッサ１０４との間に通信パスを提供する、通信バス（図示せず）を介して、複数のコンポーネントに結合される。モバイル送受信機１０２はまた、ランダムアクセスメモリ（ＲＡＭ）１０８と、読取専用メモリ（ＲＯＭ）１１０と、フラッシュ消去可能プログラマブル読取専用メモリ（ＥＰＲＯＭ）（「フラッシュメモリ」）または他の好適な形態のメモリであり得る、永続性（不揮発性）メモリ１１２と、シリアルデータポート（例えば、ユニバーサルシリアルバス（ＵＳＢ）データポート）等のデータポート１２２と、モバイル送受信機１０２の環境を感知するための複数の環境センサ１３０とを備える。センサ１３０は、光センサ１３１と、温度センサ１３２と、圧力センサ１３３と、湿度センサ１３４と、ジャイロスコープ１３５と、加速時計１３６と、１つまたはそれを上回る飛行時間（ＴｏＦ）センサ１３７と、可能性として、ドア接触スイッチ（図示せず）等の他のセンサとを備えてもよい。
【００２３】
モバイル送受信機１０２はまた、全地球または地域的衛星ナビゲーションシステムの一部である、複数の衛星を備える、衛星ネットワーク１８０から衛星信号を受信するための衛星受信機１２０を備える。いくつかの実施形態では、衛星信号の受信および送信の両方が可能である衛星送受信機が、衛星信号を受信のみすることができる、衛星受信機の代わりに提供されてもよい。
【００２４】
モバイル送受信機１０２は、衛星受信機１２０によって衛星ネットワーク１８０内の複数の衛星から受信された信号を使用して、その位置を判定することができる。少なくともいくつかの実施形態では、衛星ネットワーク１８０は、全地球のカバレッジを用いて、自律的地理空間測位を提供する、少なくとも１つの全地球的航法衛星システム（ＧＮＳＳ）の一部である、複数の衛星を備える。例えば、衛星ネットワーク１８０は、ＧＮＳＳ衛星の集合であってもよい。例示的ＧＮＳＳは、米国のＮＡＶＳＴＡＲ全地球測位システム（ＧＰＳ）またはロシアの全地球的航法衛星システム（ＧＬＯＮＡＳＳ）を含む。展開されている、または開発中である、他の衛星ナビゲーションシステムは、欧州連合のＧａｌｉｌｅｏ測位システム、中国のＢｅｉＤｏｕ衛星測位システム（ＢＤＳ）、インドの地域的衛星測位システム、および日本の衛星測位システムを含む。
【００２５】
モバイル送受信機１０２はまた、少なくともデータ通信を交換するための１つまたはそれを上回る無線送受信機を備える。無線送受信機は、少なくとも、異なる無線データ通信プロトコルおよび規格を使用して、セルラーネットワーク１６０等の複数の異なる無線アクセスネットワーク（ＲＡＮ）と通信するためのセルラー（ＲＦ）送受信機１１４を備える。モバイル送受信機１０２は、その地理的カバレッジエリア内のセルラーネットワーク１６０の複数の固定送受信機基地局（そのうちの１つが、図１に示される）のうちの任意の１つと通信してもよい。モバイル送受信機１０２は、要求されたネットワーク登録および／またはアクティブ化プロシージャが完了した後、セルラーネットワーク１６０を経由して、信号を送信および受信してもよい。説明される実施形態では、セルラー送受信機１１４は、例えば、スイスのｕ−ｂｌｏｘ  Ｈｏｌｄｉｎｇ  ＡＧからのＴＯＢＹ−Ｌ２シリーズ無線送受信機等、例えば、複数の４Ｇロングタームエボリューション（ＬＴＥ）またはＬＴＥアドバンストバンドならびにグローバル３Ｇおよび２Ｇバンドを含み得る、複数の無線周波数をサポートする、マルチバンド送受信機である。他の実施形態では、複数の専用送受信機が、４Ｇ  ＬＴＥ、３Ｇ、および２Ｇ無線サービス等の異なる無線サービスをサポートするために提供されてもよい。
【００２６】
セルラー送受信機１１４によって使用され得る、技術の実施例は、ＬＴＥ、ＬＴＥアドバンスト、汎用パケット無線サービス（ＧＰＲＳ）、Ｍｏｂｉｔｅｘ（ＴＭ）、およびＤａｔａ  ＴＡＣ（ＴＭ）を含む。セルラー送受信機１１４によって使用され得る、他の例示的技術は、高度携帯電話システム（ＡＭＰＳ）、時分割多重アクセス（ＴＤＭＡ）、符号分割多重アクセス（ＣＤＭＡ）、広帯域符号分割多重アクセス（Ｗ−ＣＤＭＡ）、パーソナル通信サービス（ＰＣＳ）、ＧＳＭ（登録商標）（モバイル通信のためのグローバルシステム）、セルラーデジタルパケットデータ（ＣＤＰＤ）、統合デジタル拡張ネットワーク（ｉＤＥＮ）、高速ダウンリンクパケットアクセス（ＨＳＰＤＡ）、エボリューションデータオプティマイズド（ＥｖＤＯ）、ＧＳＭ（登録商標）エボリューションのための拡張データレート（ＥＤＧＥ）等を含む。別個および統合された他のタイプの通信ネットワークもまた、モバイル送受信機１０２と併用されてもよい。モバイル送受信機１０２はまた、３ＧＳＭ（登録商標）、第３世代パートナーシッププロジェクト（３ＧＰＰ）、ユニバーサルモバイルテレコミュニケーションシステム（ＵＭＴＳ）、４Ｇ等の他の通信規格に準拠してもよい。前述の技術は、実施例によって使用され、排他的ではない。説明される実施形態は、ＲＡＮの任意の特定の特性または能力に依存しない。
【００２７】
無線送受信機はまた、ＷＬＡＮアクセスポイント（ＡＰ）を介してＷＬＡＮ１５０と通信するための無線ローカルエリアネットワーク（ＷＬＡＮ）送受信機１１６を備えてもよい。ＷＬＡＮ１５０は、ＩＥＥＥ８０２．１１ｘ規格（時として、Ｗｉ−Ｆｉ（Ｒ）とも称される）に準拠する、Ｗｉ−Ｆｉ無線ネットワークを備えてもよい。他の通信プロトコルも、他の実施形態では、ＷＬＡＮ１０４のために使用されてもよい。
【００２８】
無線送受信機はまた、コンピュータ２４０と通信するために、Ｂｌｕｅｔｏｏｔｈ（登録商標）送受信機１１８等の短距離無線送受信機を備えてもよい。モバイル送受信機１０２は、代替として、データポート１２２（例えば、ＵＳＢポート）等の物理的リンクを使用して、コンピュータ２４０と通信してもよい。Ｂｌｕｅｔｏｏｔｈ送受信機１１８は、Ｂｌｕｅｔｏｏｔｈ低エネルギー（ＢｌｕｅｔｏｏｔｈＳｍａｒｔ）を含む、任意の好適なバージョンのＢｌｕｅｔｏｏｔｈプロトコルと互換性があり得る。Ｂｌｕｅｔｏｏｔｈ（登録商標）の代わりに、またはそれに加え、限定ではないが、近距離通信（ＮＦＣ）、ＩＥＥＥ８０２．１５．３ａ（超広帯域無線（ＵＷＢ）とも称される）、Ｚ−Ｗａｖｅ、ＺｉｇＢｅｅ、ＡＮＴ／ＡＮＴ＋、または赤外線（例えば、Ｉｎｆｒａｒｅｄ  Ｄａｔａ  Ａｓｓｏｃｉａｔｉｏｎ（ＩｒＤＡ）通信）を含む、他の短距離無線通信技術も、提供されてもよい。
【００２９】
モバイル送受信機１０２によって受信されたデータは、デコーダ（図示せず）によって解凍および解読されてもよい。モバイル送受信機１０２の通信サブシステムはまた、１つまたはそれを上回るアンテナと、デジタル信号プロセッサ（ＤＳＰ）等のプロセッサと、局部発振器（ＬＯ）とを含む。通信サブシステムの具体的設計および実装は、モバイル送受信機１０２によって実装される無線通信技術に依存する。
【００３０】
ネットワークアクセス要件は、セルラーネットワーク１６０のタイプに応じて変動する。説明される実施形態では、モバイル送受信機１０２は、プロセッサ１０４によってデータを記憶し、読み取るために、スマートカード１４２を受容するためのスマートカードインターフェース１４０を含む。スマートカード１４２は、ＧＳＭ（登録商標）ネットワークにおいて使用するためのサブスクライバ識別モジュール（ＳＩＭ）カードまたは無線ネットワークアクセスを提供する関連無線ネットワークタイプにおいて使用するための他のタイプのスマートカードであってもよい。少なくともいくつかの実施形態では、スマートカード１４２は、少なくともＳＩＭと、ＵＳＩＭアプリケーションとを含有する、ユニバーサル集積回路カード（ＵＩＣＣ）である。ＵＩＣＣは、大部分の現代のＧＳＭ（登録商標）およびＵＭＴＳネットワークにおいて使用される、スマートカードである。ＧＳＭ（登録商標）ネットワークのためのＳＩＭカードが、実施例として説明されるが、用語「スマートカード」は、ユニバーサルサブスクライバ識別モジュール（ＵＳＩＭ）、可撤性ユーザ識別モジュール（Ｒ−ＵＩＭ）、またはＣＤＭＡサブスクライバ識別モジュール（ＣＳＩＭ）、もしくはＵＭＴＳおよびＣＤＭＡネットワークにおいて使用される他の類似技術を提供するためのあらゆるタイプのスマートカードおよび他の類似技術を包含することが意図される。
【００３１】
モバイル送受信機１０２はまた、バッテリ１４６を電源として含む。バッテリ１４６は、再充電可能または非再充電可能バッテリであってもよい。バッテリ１４６は、電力をモバイル送受信機１０２のコンポーネントのうちの少なくともいくつかに提供する。バッテリインターフェース１４４は、バッテリ１４６のための機械的および電気的接続を提供する。バッテリインターフェース１４４は、電力Ｖ＋をモバイル送受信機１０２の回路に提供する、レギュレータ（図示せず）に結合されてもよい。いくつかの実施形態では、バッテリ１４６は、５〜７年のアクティブサービス等、比較的に長い耐用年数を有することが期待される、大容量の非再充電可能なシールされたバッテリである。
【００３２】
モバイル送受信機１０２はまた、交流電流（ＡＣ）電力アダプタ等の外部電源１５２に接続するための電力ポート等、電力インターフェースを含んでもよい。モバイル送受信機１０２は、バッテリ１４６ではなく、外部電源１５２を使用することもできる。バッテリ１４６が再充電可能である場合、外部電源１５２は、バッテリ１４６を再充電するために使用されてもよい。
【００３３】
再び図１を参照すると、本開示のモバイル送受信機１０２が動作し得る、例示的通信システム１００が、説明されるであろう。モバイル送受信機１０２は、典型的には、セルラーネットワーク１６０を使用して、アセット追跡サービス（例えば、サーバまたはフリート管理システム）２００にアクセスする。アセット追跡サービス２００は、１つまたはそれを上回るサーバモジュールとして実装され、典型的には、ファイアウォール２１０の背後に位置してもよい。アセット追跡サービス２００は、複数の管理されるモバイル送受信機１０２にわたる運営制御および管理能力を提供する。アセット追跡サービス２００は、ハードウェアまたは構成情報が、ＡＰＩ場所および機能定義以外の機能性にアクセスする必要がないように、アセット追跡サービス２００の機能性のアクセスおよび抽象化を提供する、サーバベースのシステム、アプリケーションプログラミングインターフェース（ＡＰＩ）、および／またはエンドポイントを含む、種々の構成として、ハードウェアまたはソフトウェア内に具現化されてもよい。
【００３４】
アセット追跡サービス２００は、アセット追跡サービス２００と複数の管理されるモバイル送受信機１０２との間で交換されるデータのセキュアな伝送を提供する。アセット追跡サービス２００とモバイル送受信機１０２との間の通信は、例えば、高度暗号化規格（ＡＥＳ）または三重データ暗号化規格（三重ＤＥＳ）暗号化を使用して、暗号化されてもよい。
【００３５】
モバイル送受信機１０２は、衛星受信機１２０によって衛星ネットワーク１８０内の複数の衛星から受信された信号を使用して、その位置を判定する。例えば、モバイル送受信機１０２は、他の可能性の中でもとりわけ、規則的間隔において、所定のスケジュールに従って、またはトリガイベントに応答して、衛星受信機１２０を使用して、その場所を判定してもよい。場所が判定される頻度またはスケジュールは、固定される、もしくは構成可能であってもよい。モバイル送受信機１０２は、典型的には緯度および経度の観点からの判定された場所と、その場所が判定された時間とを、モバイル送受信機１０２のメモリ１１２内に記憶されるデータログに記憶する。したがって、データログは、アセット追跡ログを提供する。
【００３６】
モバイル送受信機１０２はまた、センサ１３０のうちの１つまたはそれを上回るものを使用して、モバイル送受信機１０２の環境を感知または測定してもよい。例えば、センサ１３０は、他のパラメータの中でもとりわけ、温度、圧力、および湿度、ならびにドア開放または移動イベントを測定するために使用されてもよい。センサ１３０を介して得られるセンサデータおよびセンサデータが得られた時間もまた、メモリ１１２内に記憶される、データログ（すなわち、アセット追跡ログ）に記憶される。場所データと同様に、モバイル送受信機１０２は、他の可能性の中でもとりわけ、規則的間隔において、所定のスケジュールに従って、またはトリガイベントに応答して、センサデータを収集してもよい。センサデータが得られる頻度またはスケジュールは、固定される、もしくは構成可能であってもよい。
【００３７】
モバイル送受信機１０２は、他の可能性の中でもとりわけ、規則的間隔において、所定のスケジュールに従って、またはトリガイベントに応答して、アセット追跡サービス２００に接続し、アセット追跡ログ内に記憶される場所および／またはセンサデータを報告することを試みる。モバイル送受信機１０２がアセット追跡サービス２００に接続することを試みる頻度またはスケジュールは、固定される、もしくは構成可能であってもよい。モバイル送受信機１０２は、典型的には、セルラー送受信機１１４等の無線送受信機を使用して、アセット追跡サービス２００に接続することを試みる。モバイル送受信機１０２は、それぞれが１つまたはそれを上回る無線サービスへのアクセスを提供する複数の無線送受信機によって提供される、複数の無線サービスへのアクセスを有する。説明される実施形態では、複数の無線送受信機は、セルラー送受信機１１４と、ＷＬＡＮ送受信機１１６と、Ｂｌｕｅｔｏｏｔｈ送受信機１１８とを備える。無線送受信機は、いくつかの実施形態では、マルチバンドセルラー送受信機１１４であり得る、複数のセルラー送受信機１１４を含んでもよい。モバイル送受信機１０２はまた、コンピュータ２４０を介して、直接または間接的にのいずれかにおいて、物理的リンクを使用して、アセット追跡サービス２００に接続することを試み得る。モバイル送受信機１０２によってサポートされる各無線サービスは、規格または仕様によって定義されてもよい。無線サービスの非限定的実施例は、本開示のいずれかに説明され、４Ｇロングタームエボリューション（ＬＴＥ）、３Ｇおよび２Ｇ、ＷＬＡＮ、ならびにＢｌｕｅｔｏｏｔｈ（登録商標）を含む。
【００３８】
モバイル送受信機１０２が、Ｂｌｕｅｔｏｏｔｈ（登録商標）および／またはＵＳＢを介して、セルラーネットワーク１６０、ＷＬＡＮ１５０、またはコンピュータ２４０に接続すると、モバイル送受信機１０２は、通信ネットワーク２３０を使用して、ファイアウォール２１０を通して、データログまたはデータログの一部（すなわち、データログの報告されていない部分）をアセット追跡サービス２００に送信することができる。データログ情報は、例えば、専用メッセージフォーマットを含む、任意の好適なメッセージフォーマットを使用して送信されてもよい。モバイル送受信機１０２データログは、典型的には、報告されたデータログ内のデータおよび報告されていないデータログ内のデータに関するインジケータを含む。例えば、いくつかの実施形態では、データログは、記録識別子（ＩＤ）を含み、それによって識別される、一連の記録を備える。各記録はまた、記録が行われた時間、場所データおよび／またはセンサデータ、ならびに記録がアセット追跡サービス２００に報告されたかどうかを示す報告ステータスを含む。報告されていない記録がアセット追跡サービス２００に報告された後、データログ内のその対応する報告ステータスフィールドは、更新される。
【００３９】
モバイル送受信機１０２は、使用されていないとき、あるデバイスコンポーネントの電源を落とし、バッテリ電力を節約する。例えば、モバイル送受信機１０２は、報告時間／サイクル後、セルラー送受信機１１４のために低電力モードを始動する。低電力モードは、セルラー送受信機１１４が給電されないオフモード（オフ状態としても知られる）または低電力消費を伴うスリープモード（スタンバイモードまたは動作一時停止モードとしても知られる）であってもよい。セルラー送受信機１１４は、次いで、次の報告時間／サイクルにおいて、低電力モードからアクティブ化される。任意の他の無線送受信機も同様に、報告時間／サイクル後、低電力モードに置かれる。衛星受信機１２０およびセンサ１３０もまた、場所またはセンサデータを得ていないとき、低電力モードに置かれ、次いで、次の測定時間／サイクルにおいて、低電力モードからアクティブ化されてもよい。
【００４０】
データロギングおよびデータ報告サイクルは、典型的には、異なり、一致する必要がないが、サイクルは、典型的には、様々な程度に重複する。例えば、各報告サイクルは、典型的には、それぞれが場所データおよび／またはセンサデータを含む、データログのいくつかの記録を報告することを伴う。サイクルは、場所データおよび／またはセンサデータが、ある時間において、共通プロセスの一部として捕捉され得る、もしくはログデータをアセット追跡サービス２００に報告する直前に行われる別個のプロセスの一部として捕捉され得るという点において、重複してもよい。例えば、無線送受信機は、衛星受信機１２０および／またはセンサ１３０がウェイクアップされ、場所データならびに／もしくはセンサデータが捕捉されると同時に、または直後に、報告するためにウェイクアップされてもよい。
【００４１】
通信システム１００は、例証目的のためだけに提供される。通信システム１００は、モバイル送受信機１０２と併用するための多数の可能性として考えられる通信ネットワーク構成の１つの可能性として考えられる構成にすぎない。好適な変形例が、当業者に理解され、本開示の範囲内にあることが意図される。例えば、個々のネットワークが、便宜上、表されるが、各タイプの複数のネットワークおよび示されるネットワークに接続される中間ネットワークが提供されてもよいことを理解されたい。また、図１に表される通信リンクは、Ｘ．２５またはインターネットプロトコル（ＩＰ）ベースのアドレス指定およびルーティング技法等のパケットデータ技術を使用して通信し得る、パブリックおよび／またはプライベートネットワークを使用して実装されることができる。いくつかの接続は、例えば、仮想プライベートネットワーク（ＶＰＮ）技術を使用して、セキュアな接続として実装されることができる。
【００４２】
ここで図３を参照すると、本開示の例示的実施形態による、無線通信サブシステム３００が、説明されるであろう。無線通信サブシステム３００は、アンテナと、参照番号３０６ａ、３０６ｂ、…３０６ｎによって個々に表される複数の無線送受信機および／または受信機３０６とを要求する機能を管理するデジタルベースバンドプロセッサ３０４を含む。無線送受信機／受信機３０６はそれぞれ、参照番号３１０ａ、３１０ｂ、…３１０ｎによって個々に表される内部アンテナ３１０と、参照番号３１２ａ、３１２ｂ、…３１２ｎによって個々に表される外部アンテナ３１２とに結合される、参照番号３０８ａ、３０８ｂ、…３０８ｎによって個々に表されるスイッチ３０８に結合される。外部アンテナ３１２は、典型的には、出荷用コンテナ４００の外側に位置することと関連付けられた低減されたＲＦ干渉のため、一次アンテナとしての役割を果たす一方、内部アンテナ３１０は、典型的には、出荷用コンテナ４００の内側に位置することと関連付けられた増加されたＲＦ干渉のため、二次アンテナとしての役割を果たす。
【００４３】
少なくともいくつかの実施形態では、外部アンテナ３１２は、共通外部アンテナモジュール内に提供され、外部アンテナモジュールの接地ピンは、例えば、モバイル送受信機１０２がウェイクアップすると監視され得る、プロセッサ１０４の汎用入力／出力（ＧＰＩＯ）ピンに接続される。外部アンテナモジュールの接地ピンが検出されないとき、これは、外部アンテナモジュールが接続解除されている、電子故障が外部アンテナモジュール内で生じている、もしくは外部アンテナ３１２および／または外部筐体モジュール５０４が別様に損傷もしくは不正開封されたことのインジケーションである。他の実施形態では、各外部アンテナ３１２の接地ピンは、プロセッサ１０４のＧＰＩＯピンに個々に接続されてもよい。
【００４４】
前述のように、無線送受信機／受信機３０６は、例えば、複数の４Ｇロングタームエボリューション（ＬＴＥ）またはＬＴＥアドバンストバンドならびにグローバル３Ｇおよび２Ｇバンドを含み得る、複数の無線周波数バンドをサポートする、マルチバンドセルラー送受信機等の少なくとも１つのセルラー送受信機１１４と、少なくとも１つの衛星受信機１２０とを含む。
【００４５】
セルラー送受信機１１４および衛星受信機１２０のための共通ベースバンドプロセッサ３０４が説明されるが、他の実施形態では、別個のベースバンドプロセッサが、衛星受信機１２０およびセルラー送受信機１１４のために提供され得る。無線通信サブシステム３００では、セルラー送受信機１１４および衛星受信機１２０は、個々に切り替えられ、独立して動作可能である。その結果、衛星受信機１２０は、外部アンテナ３１２を使用する一方、セルラー送受信機１１４は、内部アンテナ３１０を使用する、またはその逆であることができ、衛星受信機１２０およびセルラー送受信機１１４の両方は、外部アンテナ３１２を使用することができる、または衛星受信機１２０およびセルラー送受信機１１４の両方は、内部アンテナ３０を使用することができる。ベースバンドプロセッサ３０４またはメインプロセッサ１０４は、センサ１３０からの信号品質および補助情報等の要因に応じて、衛星受信機１２０およびセルラー送受信機１１４のために、内部アンテナ３１０または外部アンテナ３１２のいずれかを選択する。無線送受信機／受信機３０６（例えば、衛星受信機１２０およびセルラー送受信機１１４）のそれぞれはまた、別個に、電源オン、電源オフにされる、またはスリープモードに置かれてもよい。
【００４６】
説明される実施形態で使用される用語「スイッチ」および「切替」は、アクティブアンテナを変更させることに制限されることを意図するものではない。代わりに、本用語は、個別のスイッチ３０８に、特定のアンテナがまだアクティブアンテナではない場合、特定のアンテナをアクティブアンテナにする命令することを含むことが意図される。スイッチ３０８は、実装に応じて、電子スイッチ、ソリッドステートスイッチ、または電子機械（例えば、中継器）を備えてもよい。スイッチ３０８は、プロセッサ１０４または通信サブシステム等の他の回路によって、種々のアンテナを選択するように命令されてもよい。
【００４７】
示されないが、無線送受信機／受信機３０６のそれぞれは、概して、アンテナとデジタルベースバンドプロセッサ３０４との間の全てのコンポーネントを含む、ＲＦフロントエンド回路（送受信機モジュール／受信機モジュールとしても知られる）を有する。例えば、セルラー送受信機のＲＦフロントエンド回路は、受信機と、送信機と、局部発振器（ＬＯ）とを含む。受信機は、信号増幅、周波数下方変換、フィルタ処理、チャネル選択等、ならびにアナログ／デジタル変換（ＡＤＣ）のような一般的受信機機能を行う。受信された信号のＡＤＣは、デジタルベースバンドプロセッサ３０４によって行われるべき復調およびデコード等のより複雑な通信機能を可能にする。類似様式において、伝送されるべき信号は、例えば、デジタルベースバンドプロセッサ３０４によって、変調およびエンコーディングを含め、処理される。処理された信号は、アンテナを介して、デジタル／アナログ変換（ＤＡＣ）、周波数上方変換、フィルタ処理、増幅、および伝送のために、送信機に入力される。伝送機能を欠いている受信機は、典型的には、受信するために要求されるコンポーネントを省略する。
【００４８】
各セルラー送受信機１１４は、少なくともいくつかの実施形態では、ＲＦ指向性結合器を含む。ＲＦ指向性結合器は、１つの伝送ライン内を通る特定の割合の電力を別の接続またはポートを通して外に結合するために使用される、ＲＦ受動デバイスである。図３Ｂに示されるように、ＲＦ指向性結合器３５０は、４つのポートデバイス：入力ポート３５５、伝送ポート３６０、結合ポート３６５、および隔離ポート３７０である。ＲＦ指向性結合器は、典型的には、容量結合を使用する。しかしながら、任意の好適な構造が、ＲＦ指向性結合器のために使用されてもよい。ＲＦ指向性結合器１０００は、典型的には、結合ポート３６５を使用して、伝送信号をアンテナ（例えば、内部アンテナ３１０または外部アンテナ３１２）からサンプリングし、アンテナが、伝送の間、伝送しているかどうかを判定するために使用されてもよい。アンテナが、伝送の間、伝送していない場合、これは、アンテナが、異常アンテナ条件を有する、例えば、アンテナが、接続解除されている、損傷されている、または故障している場合があることのインジケーションである。アンテナが、伝送の間、伝送している場合、これは、正常アンテナ条件、すなわち、アンテナが、正常に動作および機能しており、損傷されていないことのインジケーションである。
【００４９】
図５は、本開示の一例示的実施形態による、モバイル送受信機１０２のモバイル送受信機筐体５００を図示する。筐体５００は、例えば、出荷用コンテナのドアを通して、出荷用コンテナに搭載されるように構成される、２つの部分から成る相互接続されたモジュールである。筐体５００は、内部モジュール５０２と、外部モジュール５０４とを備える。内部モジュール５０２は、出荷用コンテナの内部上、例えば、出荷用コンテナのドアの内側表面上に搭載されるように構成される。外部モジュール５０４は、出荷用コンテナの外部上、例えば、出荷用コンテナのドアの外側表面上に搭載されるように構成される。外部モジュールは、外部アンテナ３１２を担持する。内部モジュールは、内部アンテナ３１０と、モバイル送受信機１０２の他の電子コンポーネントの大部分とを担持する。
【００５０】
内部モジュール５０２および外部モジュール５０４は、出荷用コンテナ４００または他のアセットに搭載されたとき、例えば、搭載ねじ（またはボルト）によって、相互に接続される。一対の搭載ねじが、示される実施形態では使用される。異なる数の搭載ねじが、他の実施形態では、提供され得る。モバイル送受信機１０２を搭載することに備えて、３つの孔が、穿孔または同等物を使用して、出荷用コンテナのドア内に形成される。代替として、孔は、出荷用コンテナ内に行われてもよい。孔のうちの２つは、搭載ねじを受容するために提供される一方、第３の孔は、搭載されたモバイル送受信機１０２内の外部モジュール５０４内に担持されるべきセルラー送受信機１１４および衛星受信機１２０ならびに関連付けられた回路のための外部アンテナ等、内部モジュール５０２から電子機器を通して通過するために使用される。示される実施形態では、２つの孔５１２が、搭載ねじを受容するために、内部モジュール５０２の正面パネル５１０内に形成される。対応する孔は、内部モジュール５０２の底部内に位置する。内部モジュール５０２の底部内の孔はまた、電子機器を受容するために提供される。内部モジュール５０２の正面パネル５１０はまた、透明パネル等の光透過パネル５２０を含む。
【００５１】
筐体５００は、透過パネル５２０と反対に位置するセンサ１３０のうちの少なくともいくつかを受容するためのセンサコンパートメントを画定する。センサコンパートメントは、光センサ１３１と、１つまたはそれを上回るＴＯＦセンサ１３７とを担持する。説明される実施形態では、２つのＴＯＦセンサ１３７が、センサコンパートメント内に担持される。いくつかの実施形態では、一方のＴＯＦセンサ１３７は、長距離感知のために構成されてもよく、他方のＴＯＦセンサ１３７は、短距離感知のために構成されてもよい。いくつかの実施形態では、ＴＯＦセンサ１３７の測定範囲は、例えば、ソフトウェアを使用して、構成可能であってもよい。少なくともいくつかの実施形態では、各ＴＯＦセンサ１３７は、受容された集積回路（ＩＣ）、発光ダイオード（ＬＥＤ）エミッタ、およびＬＥＤを備える。ＴＯＦセンサ１３７は、センサコンパートメント内に担持されるフレキシブルＰＣＢ等の印刷回路基板（ＰＣＢ）上に、光センサ１３１とともに搭載されてもよい。
【００５２】
光センサ１３１は、透過パネル５２０を通してモバイル送受信機１０２の外側の光を感知するために、センサコンパートメント内に構成され、位置付けられる。第１のセンサ１３７は、モバイル送受信機１０２の外側にある（すなわち、モバイル送受信機１０２が出荷用コンテナに搭載されたとき、出荷用コンテナの内部にある）透過パネル５２０を通して、第１の方向における物体を検出するために、センサコンパートメント内に構成され、位置付けられる。例えば、第１のＴＯＦセンサ１３７は、モバイル送受信機１０２と第１の方向における最近傍物体との間の距離を測定し、出荷用コンテナが装填されている（例えば、１つまたはそれを上回る物体が検出される）かまたは装填されていない（例えば、物体が検出されない）かを判定することによって、出荷用コンテナの内部の物体を検出するために使用されてもよい。第２のＴＯＦセンサ１３７は、第２のＴＯＦセンサ１３７と正面パネル５１０の内側表面との間の第２の方向における距離を測定するために、センサコンパートメント内に構成され、位置付けられる。第２のＴＯＦセンサ１３７と正面パネル５１０の内側表面との間の距離は、固定されるべきである。感知される距離の増加等、第２のＴＯＦセンサ１３７によって測定された距離の変更は、外部モジュール５０４が損傷されている場合がある、または改竄されている場合があるという点において、外部アンテナの異常アンテナ条件のインジケーションを提供する。説明される実施形態では、ＴＯＦセンサ１３７は、一方のセンサが、距離を測定し、他方のセンサが、外部アンテナモジュールの有無を検出するために使用されるように、反対方向に面するように構成される。代替として、他の実施形態では、ＴＯＦセンサ１３７は、正確度の増加のために、同一方向に面し、異なる範囲内の距離、すなわち、短距離および長距離を測定するように構成されてもよい。代替として、２つのＴＯＦセンサ１３７は、同一方向に面し、異なる範囲内の距離を測定するように構成されてもよい一方、１つまたはそれを上回るＴＯＦセンサは、反対方向に面し、外部アンテナモジュールの有無を検出する。
【００５３】
図４は、モバイル送受信機１０２を搭載するために好適な例示的出荷用コンテナ４００を図示する。出荷用コンテナ４００は、一対の相互係止ドア４１０、４１２を含む。モバイル送受信機１０２は、ドア４１０、４１２のうちの１つを通して搭載され、内部モジュール５０２は、ドア４１０または４１２の内側にあって、外部モジュール５０４は、ドア４１０または４１２の外側にある。ドア４１２上のモバイル送受信機１０２のための好適な搭載場所は、参照番号４２０、４３０および４４０によって表される。モバイル送受信機１０２のための例示的搭載場所は、ドア４１２上に位置するが、モバイル送受信機１０２は、出荷用コンテナ４００の任意のドア、または可能性として、出荷用コンテナ４００の壁上に搭載され得ることを理解されたい。搭載ねじ６１０が、モバイル送受信機筐体５００の内部モジュール５０２の正面パネル５１０内の搭載孔５１２の中に受容され、モバイル送受信機筐体５００の外部モジュール５０４の内側のねじ山孔（図示せず）内に固着される。いくつかの実施形態では、内部モジュール５０２および外部モジュール５０４はさらに、好適な両面接着剤ストリップまたはテープ等の好適な搭載接着剤を使用して、コンテナドア４１２に固着されてもよい。
【００５４】
図６Ａから６Ｃは、出荷用コンテナ４００のドア４１２に搭載されるモバイル送受信機１０２を図示する。図６Ａは、出荷用コンテナ４００のドア４１２に搭載されるモバイル送受信機筐体５００の正面図である。図６Ｂは、出荷用コンテナ４００のドア４１２に搭載されるモバイル送受信機筐体５００の側面図である。図６Ｃは、出荷用コンテナ４００のドアに搭載されるモバイル送受信機筐体５００の断面図である。光センサ１３１およびＴＯＦセンサ１３７を受容するためのセンサコンパートメントは、参照番号５３０によって表され、透過パネル５２０と反対に位置する。
【００５５】
図７Ａは、本開示の一例示的実施形態による、ＧＮＳＳ追跡デバイス等のモバイル送受信機１０２を動作させる方法７００の例示的フローチャートを示す。本方法は、モバイル送受信機１０２のプロセッサによって実行されるソフトウェアによって実施されてもよい。そのような方法７００を実施するためのソフトウェアのコーディングは、本開示を提供される当業者の範囲内である。方法７００は、図示および／または説明されるもの以外の付加的またはそれより少ないプロセスを含有してもよく、他の実施形態では、異なる順序で行われてもよい。プロセッサによって方法７００を行うために実行可能な機械可読コードは、モバイル送受信機１０２のメモリ等の機械可読媒体内に記憶されてもよい。
【００５６】
７０２では、モバイル送受信機１０２が、ある非アクティブ期間後、ウェイクアップする。例えば、モバイル送受信機１０２は、プロセッサ１０４、セルラー送受信機１１４、または衛星受信機１２０のうちの１つまたはそれを上回るものが低電力モードであった、スリープモードからウェイクアップしてもよい。ウェイクアップは、任意の数の正常または異常イベントによってトリガされてもよい。例えば、モバイル送受信機１０２は、タイマまたはスケジュールされたウェイクアップイベント、もしくはセンサ１３０のうちの１つまたはそれを上回るものの測定によって生じるトリガ／アラームに従って、ウェイクアップしてもよい。セルラー送受信機１１４および／または衛星受信機１２０のウェイクアップは、実施形態に応じて、メインプロセッサ１０４またはベースバンドプロセッサ３０４によって行われ得る、セルラー送受信機１１４および／または衛星受信機１２０を低電力モードからアクティブ化することを含んでもよい。
【００５７】
７０４では、モバイル送受信機１０２は、セルラー送受信機１１４等の特定の無線送受信機の外部アンテナ３１２に切り替える、および／または衛星受信機１２０等の特定の無線受信機の外部アンテナに切り替えてもよい。
【００５８】
７０６では、モバイル送受信機１０２は、外部アンテナ３１２の異常アンテナ条件のインジケーションが存在するかどうかを判定する。外部アンテナの異常アンテナ条件３１２は、限定ではないが、外部アンテナ３１２への損傷、外部アンテナ３１２の改竄、外部アンテナ３１２の故障、および外部アンテナ３１２の接続解除を含む。インジケーションは、外部アンテナ３１２の異常アンテナ条件の存在を示すが、決定的ではない。いくつかの異なるアプローチが、外部アンテナ３１２の異常アンテナ条件のインジケーションが存在するかどうかを判定するために使用されることができ、その実施例は、以下に説明される。モバイル送受信機１０２が、外部アンテナ３１２の異常アンテナ条件のインジケーションが存在することを判定すると、７１２において、モバイル送受信機１０２は、特定の無線送受信機または無線受信機の内部アンテナ３１０に切り替える。
【００５９】
７１４では、モバイル送受信機１０２は、セルラー送受信機１１４に関する無線信号が利用可能であるかどうかを判定する。本動作は、どの無線送受信機または無線受信機が異常アンテナ条件のインジケーションが７０６において存在する外部アンテナ３１２を有すると判定されたかにかかわらず、行われてもよい。本動作は、セルラー送受信機１１４が、無線サービスに関する無線信号を検索するステップと、任意の応答が走査に応答して受信されたかどうかを判定するステップとを含む。
【００６０】
無線信号が利用可能であるとき、処理は、７２０に進み、そこで、モバイル送受信機１０２は、無線サービスを選択し、それにアクセスする、または接続し、通知メッセージ（例えば、アラームまたはアラート）をアセット追跡サービス２００に送信する。通知メッセージは、特定の無線送受信機または無線受信機に関する外部アンテナ３１２の異常アンテナ条件が存在することのインジケーションを提供する。
【００６１】
７２２では、モバイル送受信機１０２は、随意に、データロギングを行ってもよい。データロギングは、センサ１３０を使用したその場所の判定および／またはその環境の感知を含んでもよい。その場所を判定するとき、モバイル送受信機１０２は、衛星受信機１２０を使用して、その場所を判定し、判定された場所および判定された場所と関連付けられた時間をメモリ１１２内のデータログに記憶する。その場所を感知するとき、モバイル送受信機１０２は、随意に、センサ１３０のうちの１つまたはそれを上回るものを介して、モバイル送受信機１０２の環境を感知する。センサ１３０を介して得られるセンサデータおよびセンサデータが得られた時間は、メモリ１１２内に記憶されるデータログに記憶される。
【００６２】
７２４では、モバイル送受信機１０２は、随意に、無線サービスを使用して、データログの少なくとも一部をアセット追跡サービス２００に送信してもよい。モバイル送受信機１０２はまた、随意に、衛星受信機１２０が、機能しており、および／または現在の位置を提供することが可能である場合、データログの一部として、または別個に、現在の位置であり得る、最後の既知の位置を送信してもよい。代替として、現在の位置は、セルラーネットワーク１６０へのモバイルデータ接続に基づいて、携帯電話基地局またはエリアを識別するセルラー送受信機から（例えば、携帯電話基地局のデータベースから）推測されてもよい。
【００６３】
７２６では、モバイル送受信機１０２が、無線サービスを使用して、データログの少なくとも一部をアセット追跡サービス２００に送信した後、低電力モードが、プロセッサ１０４、セルラー送受信機１１４または衛星受信機１２のうちの１つまたはそれを上回るもののために始動されてもよい。
【００６４】
決定ブロック７０６に戻ると、無線信号が利用不可能であるとき、動作は、７２６に進んでもよく、そこで、低電力モードは、プロセッサ１０４、セルラー送受信機１１４、または衛星受信機１２のうちの１つまたはそれを上回るもののために始動されてもよい。
【００６５】
図７Ｂは、本開示の一例示的実施形態による、ＧＮＳＳ追跡デバイス等のモバイル送受信機１０２を動作させる方法７３０の例示的フローチャートを示す。方法７３０は、上記に説明される方法７００に類似する。方法７３０は、飛行時間（ＴｏＦ）センサ１３７（距離センサ）を使用して、外部筐体モジュール５０４までの距離が変化しているかどうかを判定する。
【００６６】
７３１では、モバイル送受信機１０２が、ある非アクティブ期間後、ウェイクアップした後、モバイル送受信機１０２は、ＴＯＦセンサ１３７と外部筐体モジュール５０４の正面パネル５１０の内側表面との間の距離を測定するように位置付けられ、構成される、ＴＯＦセンサ１３７をアクティブ化する。
【００６７】
７３２では、モバイル送受信機１０２は、ＴＯＦセンサ１３７と正面パネル５１０の内側表面との間の距離が閾値量を上回って基準距離から変化しているかどうかを判定する。基準距離は、固定距離または以前に測定された距離であってもよい。モバイル送受信機１０２が、ＴＯＦセンサ１３７と正面パネル５１０の内側表面との間の距離が閾値量を上回って基準距離から変化していることを判定すると、７３８では、モバイル送受信機１０２は、内部アンテナ３１０に切り替える。閾値量を上回って基準距離から変化しているＴＯＦセンサ１３７と正面パネル５１０の内側表面との間の距離の変化は、外部筐体モジュール５０４および／または外部アンテナ３１２への損傷もしくは外部筐体モジュール５０４および／または外部アンテナ３１２の改竄のインジケーションである。
【００６８】
モバイル送受信機１０２が、ＴＯＦセンサ１３７と正面パネル５１０の内側表面との間の距離が閾値量を上回って基準距離から変化していないことを判定すると、７３８では、モバイル送受信機１０２は、外部アンテナ３１２に切り替える。
【００６９】
７３６では、モバイル送受信機１０２は、随意に、外部アンテナ３１２を使用してセルラー送受信機１１４に関する無線信号が利用可能であるかどうか、および／または外部アンテナ３１２の信号強度を判定する。本動作は、セルラー送受信機１１４が、無線サービスに関する無線信号を検索するステップ、任意の応答が走査に応答して受信されたかどうかを判定するステップ、および／または外部アンテナ３１２の信号強度（例えば、受信された信号強度インジケータ（ＲＳＳＩ））を測定するステップとを含む。
【００７０】
無線信号が利用可能であって、および／または外部アンテナ３１２の信号強度が閾値を超えるとき、処理は、７２２に進み、そこで、モバイル送受信機１０２は、随意に、データロギングを行ってもよい。無線信号が利用不可能であって、および／または外部アンテナ３１２の信号強度が閾値を超えないとき、処理は、７３８に進み、そこで、モバイル送受信機１０２は、内部アンテナ３１０に切り替える。
【００７１】
図７Ｃは、本開示の一例示的実施形態による、ＧＮＳＳ追跡デバイス等のモバイル送受信機１０２を動作させる方法７４０の例示的フローチャートを示す。方法７４０は、上記に説明される方法７００および７３０に類似する。方法７４０は、他のセンサ１３０と組み合わせて、内部アンテナ３１０および外部アンテナ３１２の信号強度を測定し、外部筐体モジュール５０４および／または外部アンテナ３１２が、損傷もしくは改竄されているかどうか、または外部筐体モジュール５０４および／または外部アンテナ３１２の損傷もしくは改竄が、疑われるかどうかを判定し、要求される場合、アンテナを切り替える。
【００７２】
７４２では、モバイル送受信機１０２は、センサ１３０のうちの１つまたはそれを上回るものを使用して、出荷用コンテナドアの状態、すなわち、出荷用コンテナ４００のドアが開放されているかまたは閉鎖されているかを判定する。本判定は、ドア接触スイッチ（図示せず）、ＴＯＦセンサ１３７、または他の好適なセンサに基づいてもよい。モバイル送受信機１０２が、ドアが開放されている（閉鎖されていない）ことを判定すると、７４８では、モバイル送受信機１０２は、内部アンテナ３１０に切り替える。
【００７３】
モバイル送受信機１０２が、ドアが閉鎖されていることを判定すると、７４４では、モバイル送受信機１０２は、外部アンテナ３１２に切り替える。７４６では、モバイル送受信機１０２は、随意に、外部アンテナ３１２を使用して、セルラー送受信機１１４に関する無線信号が利用可能であるかどうか、および／または外部アンテナ３１２の信号強度を判定する。本動作は、セルラー送受信機１１４が、無線サービスに関する無線信号を検索するステップと、任意の応答が走査に応答して受信されたかどうかを判定するステップ、および／または外部アンテナ３１２の信号強度（例えば、受信された信号強度インジケータ（ＲＳＳＩ））測定するステップとを含む。
【００７４】
無線信号が利用可能であって、および／または外部アンテナ３１２の信号強度が閾値を超えるとき、処理は、７２２に進み、そこで、モバイル送受信機１０２は、随意に、データロギングを行ってもよい。無線信号が利用不可能である、および／または外部アンテナ３１２の信号強度が閾値を超えないとき、処理は、７４８に進み、そこで、モバイル送受信機１０２は、内部アンテナ３１０に切り替える。
【００７５】
図７Ｄは、本開示の一例示的実施形態による、ＧＮＳＳ追跡デバイス等のモバイル送受信機１０２を動作させる方法７５０の例示的フローチャートを示す。方法７５０は、上記に説明される方法７４０ならびに方法７００および７３０に類似する。方法７５０は、他のセンサ１３０と組み合わせて、ＲＦ結合器３５０を使用して、外部筐体モジュール５０４および／または外部アンテナ３１２が損傷もしくは改竄されているかどうか、または外部筐体モジュール５０４および／または外部アンテナ３１２の損傷もしくは改竄が疑われるかどうかを判定し、要求される場合、アンテナを切り替える。出荷用コンテナ４００のドアが開放または閉鎖されているかどうかを判定する動作が、図７Ｄに示されるが、本動作は、随意であって、いくつかの実施形態では、省略されてもよい。
【００７６】
７５２では、モバイル送受信機１０２が、外部アンテナ３１２に切り替えた後、モバイル送受信機１０２は、外部アンテナ３１２を使用して、受信機能（Ｒｘ）をアクティブ化する、または行い、閾値持続時間にわたって、外部アンテナ３１２を使用して、受信された通信を監視する。
【００７７】
７５４では、モバイル送受信機１０２は、受信機能の実施の間、任意の時間において、無線信号が検出されたかどうかを判定する。無線信号が検出されたとき、処理は、７２２に進み、モバイル送受信機１０２は、随意に、データロギングを行ってもよい。無線信号が存在しなかったとき、処理は、７５６に進み、モバイル送受信機１０２は、外部アンテナ３１２を使用して、伝送機能（Ｔｘ）をアクティブ化する、または行う。
【００７８】
７５８では、モバイル送受信機１０２は、伝送信号を外部アンテナ３１２からサンプリングする、ＲＦ結合器３５０を監視し、外部アンテナ３１２が実際に伝送しているかどうかを判定する。外部アンテナ３１２が、伝送機能の間、伝送していない場合、これは、外部アンテナ３１２が、損傷されている、接続解除されている、または故障していることのインジケーションである。外部アンテナ３１２が、伝送機能の間、伝送している場合、これは、正常アンテナ条件、すなわち、外部アンテナ３１２が正常に動作および機能しており、損傷されていないことのインジケーションである。
【００７９】
７６０では、モバイル送受信機１０２は、伝送機能の実施の間、任意の時間において、無線信号が検出されたかどうかを判定する。無線信号が検出されたとき、処理は、７２２に進み、そこで、モバイル送受信機１０２は、随意に、データロギングを行ってもよい。無線信号が存在しなかったとき、処理は、７６２に進み、そこで、モバイル送受信機１０２は、内部アンテナ３１０に切り替える。
【００８０】
方法７００、７３０、７４０、および７５０は、独立して説明されたが、本方法は、同時に使用され得る。加えて、方法７００、７３０、７４０、および７５０は、主に、特定の無線送受信機の文脈において説明されたが、本方法は、それぞれが複数のアンテナ構成を有する複数の無線送受信機／受信機に適用されることができる。図８は、本開示の一実施形態による、アンテナを選択する方法８００の例示的実施形態を図示する。本方法は、モバイル送受信機１０２のプロセッサによって実行されるソフトウェアによって実施されてもよい。そのような方法８００を実施するためのソフトウェアのコーディングは、本開示を提供される当業者の範囲内である。方法８００は、図示および／または説明されるもの以外の付加的もしくはそれより少ないプロセスを含有してもよく、他の実施形態では、異なる順序で行われてもよい。方法８００を行うためにプロセッサによって実行可能な機械可読コードは、モバイル送受信機１０２のメモリ等の機械可読媒体内に記憶されてもよい。
【００８１】
８０１では、モバイル送受信機１０２が、ある非アクティブ期間後、ウェイクアップする。８０２では、モバイル送受信機１０２は、評価のための無線送受信機／受信機（例えば、セルラー送受信機１１４）を選択する。
【００８２】
８０４では、モバイル送受信機１０２は、評価のために、選択された無線送受信機／受信機のためのアンテナを選択する。典型的には、無線送受信機／受信機は、内部アンテナ３１０と、外部アンテナ３１２とを有し、外部アンテナ３１２は、一次アンテナとしての役割を果たし、したがって、典型的には、最初に選択される。しかしながら、いくつかの実施形態では、外部アンテナ３１２は、一次アンテナではなくてもよい。同様に、複数のアンテナ構成を伴う、無線送受信機／受信機のいくつかの実施形態では、一次および二次アンテナ間または内部および外部アンテナ間に区別がなくてもよい。
【００８３】
８０６では、モバイル送受信機１０２は、選択されたアンテナに切り替え、測定する。８０８では、モバイル送受信機１０２は、無線送受信機／受信機の他のアンテナが評価を要求するかどうかを判定する。無線送受信機／受信機の他のアンテナが評価を要求する場合、動作８０４および８０６は、無線送受信機／受信機のアンテナの全てが評価されるまで繰り返される。該当しない場合、動作は、８１０に進む。
【００８４】
８１０では、モバイル送受信機１０２は、特定の無線送受信機／受信機に関する複数のアンテナからの所望の信号品質を伴う、アンテナを判定および選択する。
【００８５】
８１２では、モバイル送受信機１０２は、選択されたアンテナに切り替える。
【００８６】
８１４では、モバイル送受信機１０２は、他の無線送受信機／受信機が評価を要求するかどうかを判定する。例えば、１つを上回るセルラー送受信機１１４が存在する場合、各セルラー送受信機１１４が、評価されるであろう。同様に、衛星受信機１２０も、評価されるであろう。他の無線送受信機／受信機が、評価を要求する場合、動作８０２および８１２は、各無線送受信機／受信機が評価されるまで繰り返される。該当しない場合、動作は、終了する。
【００８７】
本開示は、外部アンテナ３１２の異常アンテナ条件のインジケーションを検出する（例えば、損傷もしくは改竄または疑われる損傷もしくは改竄を検出する）、アセット追跡のための方法およびモバイル送受信機を提供する。本開示のモバイル送受信機は、セルラー送受信機と、衛星受信機とを備え、それぞれ、内部アンテナと、外部アンテナとを有する。有利には、本開示は、外部アンテナおよび／または外部アンテナ筐体の損傷もしくは改竄または疑われる損傷もしくは改竄等の外部アンテナの異常アンテナ条件のインジケーションを検出するためのソリューションを提供し、外部アンテナ３１２の異常アンテナ条件のインジケーションが存在するとき（例えば、一次外部アンテナが機能していないとき、または外部アンテナおよび／または外部アンテナ筐体の損傷もしくは改竄が、検出される、もしくは疑われるとき）、一次外部アンテナから二次内部アンテナに動作を切り替える。
【００８８】
本明細書に説明されるフローチャートおよび図面内のステップならびに／または動作は、例示目的のためだけのものである。本開示の教示から逸脱することなく、これらのステップおよび／または動作の多くの変形例が存在し得る。例えば、ステップは、異なる順序で行われてもよい、またはステップは、追加される、削除される、もしくは修正されてもよい。
【００８９】
本開示は、少なくとも部分的に、方法の観点から説明されるが、当業者は、本開示がまた、説明される方法の側面および特徴のうちの少なくともいくつかを、ハードウェアコンポーネント、ソフトウェア、またはその２つの任意の組み合わせを用いて、もしくは任意の他の様式において、行うための種々のコンポーネントを対象とすることを理解するであろう。さらに、本開示はまた、本明細書に説明される方法を行うためのその上に記憶されるプログラム命令を含む、事前に記録された記憶デバイスまたは他の類似の機械可読媒体も対象とする。
【００９０】
本開示は、請求項の主題から逸脱することなく、他の具体的形態で具現化されてもよい。説明される例示的実施形態は、あらゆる点において、例証にすぎず、制限ではないと見なされるべきである。本開示は、本技術における全ての好適な変更を網羅および包含することを意図する。本開示の範囲は、したがって、前述の説明によってではなく、添付の請求項によって説明される。請求項の範囲は、実施例に記載される実施形態によって限定されるべきではなく、全体として本説明に一致する最も広義な解釈が与えられるべきである。
【図１】
2019510199.tif 000003
【図２】
2019510199.tif 000004
【図３Ａ】
2019510199.tif 000005
【図３Ｂ】
2019510199.tif 000006
【図４】
2019510199.tif 000007
【図５】
2019510199.tif 000008
【図６Ａ】
2019510199.tif 000009
【図６Ｂ】
2019510199.tif 000010
【図６Ｃ】
2019510199.tif 000011
【図７Ａ】
2019510199.tif 000012
【図７Ｂ】
2019510199.tif 000013
【図７Ｃ】
2019510199.tif 000014
【図７Ｄ】
2019510199.tif 000015
【図８】
2019510199.tif 000016
【国際調査報告】
2019510199.tif 000017
2019510199.tif 000018